【手続補正書】
【提出日】平成17年5月20日(2005.5.20)
【手続補正１】
【補正対象書類名】明細書
【補正対象項目名】発明の名称
【補正方法】変更
【補正の内容】
【発明の名称】情報共有装置及び記憶媒体並びに方法
【手続補正２】
【補正対象書類名】明細書
【補正対象項目名】特許請求の範囲
【補正方法】変更
【補正の内容】
【特許請求の範囲】
【請求項１】
複数の情報管理装置が互いにコミュニケーションをとって情報のやり取りを行う情報システムにおいて、
二つの情報管理装置間でやり取りされる情報の内容を複数の意味集合で表現した多重パイプ情報を管理する多重パイプ管理手段と、
複数の多重パイプ情報が有する意味集合を比較し類似性を判定する多重パイプ情報内容比較手段と、
前記多重パイプ管理手段が管理する多重パイプ情報の集合からユーザの要求に適する多重パイプ情報を検索する多重パイプ検索手段と、
前記多重パイプ検索手段により検索された複数の多重パイプ情報を、前記類似性を用いて合成することにより新たな多重パイプ情報を生成する多重パイプ合成手段と、
を有することを特徴とする情報共有装置。
【請求項２】
請求項１記載の装置において、
前記多重パイプ管理手段は、前記情報の内容を重みの集合で表現した多重パイプ情報を管理し、
前記多重パイプ情報内容比較手段は、前記複数の多重パイプ情報が有する複数の重みの集合を比較し前記類似性を判定する
ことを特徴とする情報共有装置。
【請求項３】
請求項１、２のいずれかに記載の装置において、
前記多重パイプ管理手段は、前記情報の内容を時間属性の集合で表現した多重パイプ情報を管理し、
前記多重パイプ情報内容比較手段は、前記複数の多重パイプ情報が有する複数の時間属性の集合を比較し前記類似性を判定する
ことを特徴とする情報共有装置。
【請求項４】
請求項１〜３のいずれかに記載の装置において、
前記多重パイプ管理手段、前記多重パイプ検索手段、前記多重パイプ合成手段、及び前記多重パイプ情報内容比較手段は情報管理装置ごとに備えられており、
前記多重パイプ管理手段は、自己の情報管理装置が関係する多重パイプ情報の集合を管理し、
前記多重パイプ検索手段は、ユーザからの要求に加えて他の情報管理装置に備えられた多重パイプ検索手段からの要求に対して、前記多重パイプ管理手段が管理する多重パイプ情報の集合から当該要求に適する多重パイプ情報を検索する、
ことを特徴とする情報共有装置。
【請求項５】
請求項１〜４のいずれかに記載の装置において、
情報管理装置間のコミュニケーション内容を解析する情報解析手段と、
前記情報解析手段が検出したコミュニケーションの内容に基づいて前記多重パイプ管理手段に管理させる新たな多重パイプ情報を生成する多重パイプ生成手段と、
前記多重パイプ管理手段が管理する多重パイプ情報を、前記情報解析手段が解析したコミュニケーションの内容に基づいて更新する多重パイプ更新手段と、
をさらに有することを特徴とする情報共有装置。
【請求項６】
請求項１〜５のいずれかに記載の装置において、
第一の情報管理装置と第二の情報管理装置の間の多重パイプ情報と、
第二の情報管理装置と第三の情報管理装置との間の多重パイプ情報とが与えられたときに、
前記多重パイプ合成手段は、第一の情報管理装置と第二の情報管理装置との間の多重パイプ情報と、第二の情報管理装置と第三の情報管理装置との間の多重パイプ情報の、少なくとも意味の共通部分を意味の集合ごとに合成した、第一の情報管理装置から第三の情報管理装置への多重パイプ情報を生成する
ことを特徴とする情報共有装置。
【請求項７】
請求項１〜５のいずれかに記載の装置において、
第一の情報管理装置と第二の情報管理装置の間の多重パイプ情報と、
第二の情報管理装置と第三の情報管理装置との間の多重パイプ情報と、
第三の情報管理装置と第四の情報管理装置との間の多重パイプ情報とが与えられたときに、前記多重パイプ合成手段は、第一の情報管理装置と第二の情報管理装置との間の多重パイプ情報と、第三の情報管理装置と第四の情報管理装置との間の多重パイプ情報の、少なくとも意味の共通部分を意味の集合ごとに合成し、意味の集合ごとに総和をとることで第二の情報管理装置から第三の情報管理装置への多重パイプ情報を更新する
ことを特徴とする情報共有装置。
【請求項８】
請求項６記載の装置において、
前記多重パイプ合成手段は、前記第一の情報管理装置と前記第二の情報管理装置との間の多重パイプ情報と、前記第二の情報管理装置と前記第三の情報管理装置との間の多重パイプ情報の、重みの共通部分を重みの集合ごとに合成した、第一の情報管理装置から第三の情報管理装置への多重パイプ情報を生成する
ことを特徴とする情報共有装置。
【請求項９】
請求項７記載の装置において、
前記多重パイプ合成手段は、前記第一の情報管理装置と前記第二の情報管理装置との間の多重パイプ情報と、前記第三の情報管理装置と前記第四の情報管理装置との間の多重パイプ情報の、重みの共通部分を重みの集合ごとに合成し、重みの集合ごとに総和をとることで第二の情報管理装置から第三の情報管理装置への多重パイプ情報を更新する
ことを特徴とする情報共有装置。
【請求項１０】
請求項６、８のいずれかに記載の装置において、
前記多重パイプ合成手段は、前記第一の情報管理装置と前記第二の情報管理装置との間の多重パイプ情報と、前記第二の情報管理装置と前記第三の情報管理装置との間の多重パイプ情報の、時間属性の共通部分を時間属性の集合ごとに合成した、第一の情報管理装置から第三の情報管理装置への多重パイプ情報を生成する
ことを特徴とする情報共有装置。
【請求項１１】
請求項７、９のいずれかに記載の装置において、
前記多重パイプ合成手段は、前記第一の情報管理装置と前記第二の情報管理装置との間の多重パイプ情報と、前記第三の情報管理装置と前記第四の情報管理装置との間の多重パイプ情報の、時間属性の共通部分を時間属性の集合ごとに合成し、時間属性の集合ごとに総和をとることで第二の情報管理装置から第三の情報管理装置への多重パイプ情報を更新する
ことを特徴とする情報共有装置。
【請求項１２】
複数の情報管理装置が互いにコミュニケーションをとって情報のやり取りを行う情報システムを制御するプログラムを記憶した媒体であって、
前記プログラムはコンピュータに対して、少なくとも二つの情報管理装置間でやり取りされる情報の内容を複数の意味集合で表現した多重パイプ情報を管理させ、
複数の多重パイプ情報が有する意味集合を比較し類似性を判定させ、
前記多重パイプ情報の集合からユーザの要求に適する多重パイプ情報を検索させ、
検索して得られた複数の多重パイプ情報を、前記類似性を用いて合成することにより新たな多重パイプ情報を生成させる
ことを特徴とする記憶媒体。
【請求項１３】
複数の情報管理装置が互いにコミュニケーションをとって情報のやり取りを行う情報システムにおける情報共有方法であって、前記複数の情報管理装置に接続された情報共有装置が、
少なくとも二つの情報管理装置間でやり取りされる情報の内容を複数の意味集合で表現した多重パイプ情報を管理するステップと、
複数の多重パイプ情報が有する意味集合を比較し類似性を判定するステップと、
前記多重パイプ情報の集合からユーザの要求に適する多重パイプ情報を検索するステップと、
検索して得られた複数の多重パイプ情報を、前記類似性を用いて合成することにより新たな多重パイプ情報を生成するステップ
を実行することを特徴とする情報共有方法。